(57)【要約】【課題】  使用者の足を締め付けるとき、足の土踏まずのアーチを確保する。【解決手段】  靴（１）は、帯状のベルト（３０）と、ガイド部材（４１ａ〜４１ｃ）と、ダイヤルユニット（６０）とを有する。ベルト（３０）は、使用者の足の土踏まずに相当する位置においてアウトソール（１０）に固定された基端部（３１）と、一対の羽根（２１）を覆う先端部（３２）とを含む。靴の前後方向におけるベルト（３０）の両側の縁（３３，３４）は、アッパー（２０）に対して離間可能である。ガイド部材（４１ａ〜４１ｃ）は、ベルト（３０）の先端部（３２）に固定されており、ガイド部材（４１ａ〜４１ｃ）にはワイヤ（５０）が係合している。ダイヤルユニット（６０）は、ワイヤ（５０）を巻き取るために用いられ、アッパー（２０）の外側側面（２３）に固定されている。【選択図】  図１
2019000213.tif 000002
【特許請求の範囲】
【請求項１】
使用者の足の土踏まずに相当する位置においてアウトソールに固定された基端部と、一対の羽根を覆う先端部とを含み、靴の前後方向における両側の縁がアッパーに対して離間可能な帯状のベルトと、
前記ベルトの先端部に固定され、ワイヤが係合するガイド部材と、
前記アッパーの外側側面に固定され、前記ワイヤを巻き取るためのダイヤルユニットと、を有することを特徴とする靴。
【請求項２】
前記ダイヤルユニットは、前記ワイヤを引き出すための一対の開口部を有しており、
前記一対の開口部は、前記ワイヤの巻き取りに伴う前記ベルトの締め付け方向において、前記ガイド部材と対向することを特徴とする請求項１に記載の靴。
【請求項３】
前記アッパーの外側側面に固定され、前記ワイヤが係合するガイド部材を有することを特徴とする請求項１又は２に記載の靴。
【請求項４】
前記一対の羽根に固定され、前記一対の羽根の間隔を保持する保持部材を有することを特徴とする請求項１から３のいずれか１つに記載の靴。
【請求項５】
前記靴の前後方向における前記ベルトの基端部の幅は、前記アウトソールに向かって広がっていることを特徴とする請求項１から４のいずれか１つに記載の靴。
【請求項６】
前記ベルトの前記両側の縁は、前記アウトソールに近づくにつれて前記靴の後方に向かって延びていることを特徴とする請求項１から４のいずれか１つに記載の靴。
【発明の詳細な説明】
【技術分野】
【０００１】
本発明は、ワイヤを用いて靴のアッパーを使用者の足に締め付けることができる靴に関する。
【背景技術】
【０００２】
特許文献１に記載の無タン履物では、靴側方部及びキャノピのそれぞれに係留部を設けておき、これらの係留部にコード部を係合させている。また、コード部は、コードテンショナーに連結されており、コードテンショナーによってコード部を緊張させることにより、使用者の足に対してキャノピを締め付けている。
【先行技術文献】
【特許文献】
【０００３】
【特許文献１】特開２０１５−５１９９４９号公報（図５Ａ）
【発明の概要】
【発明が解決しようとする課題】
【０００４】
靴で使用者の足を締め付ける場合には、足の土踏まずのアーチを保つことを考慮する必要がある。特許文献１では、靴で足を締め付けるようにしているが、土踏まずのアーチを確保することについては、何ら考慮していない。特許文献１では、キヤノピにおける靴の前側の縁が固定されているため、キヤノピを締め付けたとしても、土踏まずを上方に移動させることができず、土踏まずのアーチを確保することができない。
【課題を解決するための手段】
【０００５】
本発明である靴は、帯状のベルトと、ガイド部材と、ダイヤルユニットとを有する。ベルトは、使用者の足の土踏まずに相当する位置においてアウトソールに固定された基端部と、一対の羽根を覆う先端部とを含む。また、靴の前後方向におけるベルトの両側の縁は、アッパーに対して離間可能である。ガイド部材は、ベルトの先端部に固定されており、ガイド部材にはワイヤが係合している。ダイヤルユニットは、ワイヤを巻き取るために用いられ、アッパーの外側側面に固定されている。
【０００６】
本発明によれば、ダイヤルユニットによってワイヤを巻き取ることにより、ベルトの先端部をアッパーの外側側面に向けて引っ張ることができ、靴を履いた使用者の足に対してベルトを締め付けることができる。ここで、土踏まずに相当する位置において、ベルトの基端部がアウトソールに固定されているとともに、靴の前後方向におけるベルトの両側の縁がアッパーに固定されていないため、ベルトを締め付けたときには、ベルトの基端部及びアウトソールの固定部分を靴の上方に向けて効率良く引っ張ることができる。これにより、使用者の足の土踏まずを上方に押し上げやすくなる。そして、ベルトを使用者の足に締め付けたままとすれば、土踏まずのアーチを保つことができる。
【０００７】
ダイヤルユニットには、ワイヤを引き出すための一対の開口部を設けることができる。ここで、ワイヤの巻き取りに伴うベルトの締め付け方向において、一対の開口部をガイド部材と対向させることができる。このようにダイヤルユニットを配置することにより、ワイヤを巻き取るときの力をガイド部材に作用させやすくなり、ベルトを締め付けやすくなる。
【０００８】
ベルトの先端部に固定されるガイド部材に加えて、ワイヤが係合するガイド部材をアッパーの外側側面に固定することができる。これにより、ベルトの先端部に固定されたガイド部材と、アッパーの外側側面に固定されたガイド部材とを用いて、使用者の足に対してベルトの全体を締め付けやすくなる。
【０００９】
一対の羽根には、一対の羽根の間隔を保持する保持部材を設けることができる。上述したように、靴の前後方向におけるベルトの両側の縁は、アッパーに固定されていないため、ベルトの先端部は、一対の羽根の内側に入り込んでしまうおそれがある。そこで、保持部材を設けることにより、ベルトの先端部が羽根の内側に入り込んでしまうことを防止できる。
【００１０】
靴の前後方向におけるベルトの基端部の幅を、アウトソールに向かって広げることができる。また、靴の前後方向におけるベルトの両側の縁が、アウトソールに近づくにつれて靴の後方に向かって延びるように、ベルトを配置することができる。
【図面の簡単な説明】
【００１１】
【図１】第１実施形態である靴の平面図である。
【図２】第１実施形態である靴の外側の側面図である。
【図３】第１実施形態である靴の内側の側面図である。
【図４】第１実施形態において、一対の羽根及び保持部材を示す図である。
【図５】第２実施形態である靴の平面図である。
【図６】第２実施形態である靴の外側の側面図である。
【図７】第２実施形態である靴の内側の側面図である。
【発明を実施するための形態】
【００１２】
（第１実施形態）
本発明の第１実施形態である靴について、図１〜図３を用いて説明する。図１は、本実施形態の靴の平面図である。図２は、図１に示す矢印Ｄ１の方向から靴を見たときの側面図であり、図３は、図１に示す矢印Ｄ２の方向から靴を見たときの側面図である。
【００１３】
靴１は、アウトソール１０、アッパー２０及びベルト３０を有する。靴１の内側の底面には、インソール（不図示）が配置されている。アウトソール１０の底面（地面と接触する面）の形状は、適宜決めることができ、例えば、アウトソール１０の底面を凹凸面で構成することができる。
【００１４】
ベルト３０は、靴１の使用者の足（特に、甲）を締め付けるために用いられる。ベルト３０は、アッパー２０の一部の領域（内側側面及び上面）を覆っており、言い換えれば、使用者の足のうち、土踏まずから甲までの領域に相当する領域を覆っている。
【００１５】
ベルト３０の基端部３１は、図３に示すように、使用者の足の土踏まずに相当する位置において、アウトソール１０に固定されている。ベルト３０及びアウトソール１０を固定する手段としては、例えば、接着や縫合がある。ベルト３０は、基端部３１から靴１の上方に向かって延びており、ベルト３０の先端部３２は、使用者の足の甲に相当する位置に配置されている。
【００１６】
図３に示すように、靴１の前後方向における基端部３１の幅は、アウトソール１０に向かって広がっている。ここで、ベルト３０は、靴１の前後方向における両側の縁（後側縁３３及び前側縁３４）を有している。図３に示す靴１の側面において、靴１の後方に位置するベルト３０の後側縁３３は、ベルト３０の先端部３２から靴１の後方に向かって湾曲している。また、図３に示す靴１の側面において、靴１の前方に位置するベルト３０の前側縁３４は、湾曲しており、ベルト３０の先端部３２から靴１の後方に向かって延びた後に、靴１の前方に向かって延びている。
【００１７】
ベルト３０の基端部３１はアウトソール１０に固定されているが、ベルト３０の後側縁３３及び前側縁３４は、アッパー２０に固定されていない。このため、基端部３１を支点として、アッパー２０から離れる方向にベルト３０を移動させることができる。
【００１８】
ベルト３０は、使用者の足の親指のボールジョイント部に対応する領域Ｒ（図１，３参照）よりも靴１の後方に配置されており、領域Ｒと重ならない位置に配置されている。また、図１に示すように、ベルト３０は、アッパー２０のヴァンプの屈曲ラインＬよりも靴１の後方に配置されている。屈曲ラインＬは、使用者の足を靴１に挿入したとき、親指のボールジョイント部と小指のボールジョイント部とを結ぶラインに相当する。
【００１９】
ベルト３０の先端部３２は、靴１における一対の羽根２１やタン２２の一部を覆っている。タン２２は、一対の羽根２１の間に形成される隙間を塞ぐように配置されており、タン２２の一部（上端部）は、靴１の外側に露出している。なお、本実施形態では、タン２２を設けているが、タン２２を省略することもできる。
【００２０】
一対の羽根２１には、図４に示すように、保持部材２５が固定されている。図４は、ベルト３０の先端部３２を羽根２１から離れる方向に移動させて羽根２１を露出させた状態を示している。なお、図４では、タン２２を省略して示している。保持部材２５は、タン２２と、ベルト３０の先端部３２との間に配置されている。
【００２１】
保持部材２５は、一対の羽根２１に固定されることにより、一対の羽根２１の間隔を保持する。言い換えれば、保持部材２５は、一対の羽根２１が互いに離れる方向（図４の矢印で示す方向）に移動することを阻止する。保持部材２５及び羽根２１を固定する手段としては、例えば、接着や縫合がある。保持部材２５は、一対の羽根２１に固定することができればよく、この機能を満たす限りにおいて、保持部材２５の形状は、適宜決めることができる。なお、本実施形態では、保持部材２５を設けているが、保持部材２５を省略することもできる。
【００２２】
ベルト３０の先端部３２の外面には、３つのガイド部材４１ａ，４１ｂ，４１ｃが固定されている。ガイド部材４１ａ〜４１ｃは、靴１の前後方向において並んで配置されており、各ガイド部材４１ａ〜４１ｃには、ワイヤ５０が係合している。先端部３２において各ガイド部材４１ａ〜４１ｃを固定する位置は、適宜決めることができる。また、図１に示すように、各ガイド部材４１ａ〜４１ｃは、タン２２が配置されている位置、言い換えれば、靴１の幅方向（図１の上下方向）における中央部に配置することができる。ここで、ベルト３０の締め付け状態に応じて、ベルト３０の先端部３２の位置や、ガイド部材４１ａ〜４１ｃの位置は変わることになるが、ベルト３０を締め付けていない状態において、各ガイド部材４１ａ〜４１ｃを上述した位置に配置することができる。
【００２３】
アッパー２０の外側側面２３には、２つのガイド部材４２ａ，４２ｂ及びダイヤルユニット６０が固定されている。ガイド部材４２ａは、ベルト３０の締め付け方向において、ガイド部材４１ｂと対向する位置に配置されている。ガイド部材４２ｂは、ベルト３０の締め付け方向において、ガイド部材４１ｃと対向する位置に配置されている。各ガイド部材４２ａ，４２ｂには、ワイヤ５０が係合している。
【００２４】
ダイヤルユニット６０は、図２から分かるように、靴１の前後方向における中央部に配置されており、ベルト３０の締め付け方向において、ガイド部材４１ａと対向する位置に配置されている。ダイヤルユニット６０は、ワイヤ５０を引き出すための一対の開口部６１，６２を有する。開口部６１，６２は、ガイド部材４１ａが配置されている方向に向かって開口している。
【００２５】
開口部６１から引き出されたワイヤ５０は、ガイド部材４１ａに係合した後、ガイド部材４２ａ及びガイド部材４１ｃの順に係合している。開口部６２から引き出されたワイヤ５０は、ガイド部材４１ｂに係合した後、ガイド部材４２ｂに係合している。ここで、各開口部６１，６２から引き出されたワイヤ５０は、繋がっている。
【００２６】
ダイヤルユニット６０の内側には、ワイヤ５０を巻き取ったり、ワイヤ５０を引き出したりする巻き取り機構（不図示）が配置されており、この巻き取り機構にワイヤ５０が固定されている。巻き取り機構としては、特許第５９２５９４９号などに開示されている公知の機構を適宜採用することができる。本実施形態では、ダイヤルユニット６０のダイヤル６３を所定方向に回転させると、巻き取り機構がワイヤ５０を巻き取る。また、ダイヤル６３を回転軸方向に押し込むと、巻き取り機構によるワイヤ５０の巻き取りが解除されて、開口部６１，６２からワイヤ５０を引き出すことができる。
【００２７】
次に、ベルト３０を締め付けるときの動作について説明する。
【００２８】
ダイヤルユニット６０のダイヤル６３を所定方向に回転させると、巻き取り機構がワイヤ５０を巻き取ることにより、ワイヤ５０の一部がダイヤルユニット６０の内部に引き込まれる。これにより、ガイド部材４１ａは、ワイヤ５０に引っ張られてダイヤルユニット６０に近づく方向に移動するとともに、ガイド部材４１ｂ，４１ｃは、ワイヤ５０に引っ張られてガイド部材４２ａ，４２ｂに近づく方向に移動する。結果として、ベルト３０の先端部３２がアッパー２０の外側側面２３に向かって引っ張られることにより、使用者の足の甲に対してベルト３０を締め付けることができる。
【００２９】
ベルト３０は、靴１の前後方向において、所定の幅を有しているため、この幅の範囲内において、使用者の足の甲を締め付けることができる。また、ベルト３０の幅全体において、足の甲に対する締め付け力が発生するため、ベルト３０から足の甲に作用する締め付け力を均等化することができる。
【００３０】
一方、ダイヤル６３を回転軸方向に押し込んで、巻き取り機構がワイヤ５０を引き出すことにより、ダイヤルユニット６０の外部に引き出されているワイヤ５０の長さを長くして、ベルト３０の先端部３２をアッパー２０の外側側面２３から離れる方向に移動させることができる。結果として、足の甲に対するベルト３０の締め付けを緩めることができる。
【００３１】
本実施形態では、ダイヤルユニット６０の開口部６１，６２が、ベルト３０の締め付け方向において、ガイド部材４１ａと対向している。このため、ダイヤル６３の操作によってワイヤ５０を巻き取るときの力をガイド部材４１ａに作用させやすくなり、ベルト３０を使用者の足に締め付けやすくなる。また、ダイヤルユニット６０からワイヤ５０を引き出したときには、ガイド部材４１ａをダイヤルユニット６０から離れる方向に移動させやすくなり、使用者の足に対するベルト３０の締め付けを緩めやすくなる。
【００３２】
ベルト３０の基端部３１はアウトソール１０に固定されているため、ベルト３０の先端部３２をアッパー２０の外側側面２３に移動させて、ベルト３０を使用者の足に締め付けたときには、アウトソール１０及びベルト３０の固定部分が靴１の上方に引っ張られて変形する。ここで、アウトソール１０及びベルト３０の固定部分は、使用者の足の土踏まずに相当する位置にあるため、アウトソール１０及びベルト３０の固定部分を靴１の上方に向かって変形させることにより、使用者の足の土踏まずを上方に押し上げることができる。ここで、ベルト３０を使用者の足に締め付けたままとすれば、土踏まずのアーチを保つことができる。
【００３３】
通常の紐靴と、本実施形態の靴１とを用いて、使用者の足の土踏まずにかかる圧力Ｐを測定した。ここで、通常の紐靴とは、本実施形態で説明したベルト３０が設けられていなく、一対の羽根２１に紐が通された靴である。通常の紐靴において、紐を締め付けたときの圧力Ｐは８５［ｈＰａ］であった。一方、本実施形態の靴１において、ベルト３０を締め付けたときの圧力Ｐは、１０１［ｈＰａ］であった。このように、本実施形態によれば、通常の紐靴と比べて、足の土踏まずにかかる圧力Ｐを上昇させることができ、土踏まずのアーチを保ちやすくなる。
【００３４】
一方、上述したように、ベルト３０は、アッパー２０の屈曲ラインＬよりも靴１の後方に配置されているため、アッパー２０のボックストゥ２４（屈曲ラインＬよりも靴１の前方部分）は、ベルト３０によって締め付けられない。ボックストゥ２４には、使用者の足指が収容されるため、ボックストゥ２４がベルト３０によって締め付けられないことにより、使用者の足指も締め付けられない。これにより、ボックストゥ２４の内部において、足指を動かしやすくなり、スムーズな歩行等を行うことができる。また、靴１をゴルフシューズとして用いたときには、ボックストゥ２４の内部で足指を広げて踏ん張ることができ、スイング中における体の軸のぶれを抑制しやすくなる。
【００３５】
本実施形態では、保持部材２５を一対の羽根２１に固定しているため、ベルト３０の先端部３２が羽根２１及びタン２２の間の隙間に入り込んでしまうことを防止できる。保持部材２５を設けていないと、ベルト３０を締め付けようとするときに、ベルト３０の先端部３２が羽根２１及びタン２２の間の隙間に入り込んでしまうことがある。先端部３２が羽根２１及びタン２２の間の隙間に入り込んでしまうと、ベルト３０を締め付けることができなくなるため、羽根２１及びタン２２の間の隙間から先端部３２を外す必要がある。本実施形態のように保持部材２５を設けておくことにより、羽根２１及びタン２２の間の隙間から先端部３２を外すような、面倒な作業を行わなくてよい。
【００３６】
（第２実施形態）
本発明の実施形態２である靴について、図５〜図７を用いて説明する。図５は、本実施形態の靴の平面図である。図６は、図５に示す矢印Ｄ３の方向から靴を見たときの側面図であり、図７は、図５に示す矢印Ｄ４の方向から靴を見たときの側面図である。
【００３７】
以下、第１実施形態と異なる点について主に説明する。本実施形態において、第１実施形態で説明した部材と同一の機能を有する部材については、同一の符号を用いている。
【００３８】
本実施形態においても、第１実施形態と同様に、ベルト３０の基端部３１は、アウトソール１０に固定されている。ここで、図７から分かるように、ベルト３０の基端部３１は、アッパー２０のロングウィングチップを構成する飾り素材で覆われている。
【００３９】
第１実施形態では、ベルト３０の先端部３２に３つのガイド部材４１ａ〜４１ｃを固定しているが、本実施形態では、ベルト３０の先端部３２に２つのガイド部材４１ａ，４１ｂが固定されている。なお、ベルト３０の先端部３２に固定するガイド部材の数は、１つであってもよいし、４つ以上であってもよい。
【００４０】
第１実施形態では、アッパー２０の外側側面２３に２つのガイド部材４２ａ，４２ｂが固定されているが、本実施形態では、アッパー２０の外側側面２３に１つのガイド部材４２ａが固定されている。なお、アッパー２０の外側側面２３にはガイド部材４２ａを設けなくてもよいし、３つ以上のガイド部材を外側側面２３に固定してもよい。
【００４１】
また、本実施形態でも、アッパー２０の外側側面２３にダイヤルユニット６０が固定されている。ダイヤルユニット６０の開口部６１，６２から引き出されたワイヤ５０は、ガイド部材４１ａ，４１ｂ，４２ａに係合している。
【００４２】
ベルト３０の前側縁３４は、第１前側縁３４ａ及び第２前側縁３４ｂによって構成されている。第１前側縁３４ａは、図５に示すように、靴１の幅方向（図５の上下方向）に延びている。第２前側縁３４ｂは、図７に示すように、第１前側縁３４ａから靴１の後方に向かって延びている。
【００４３】
本実施形態においても、第１実施形態と同様の効果を得ることができる。ここで、第１実施形態で説明した通常の紐靴と、本実施形態の靴１とを用いて、使用者の足の土踏まずにかかる圧力Ｐを測定した。通常の紐靴において、紐を締め付けたときの圧力Ｐは８５［ｈＰａ］であった。一方、本実施形態の靴１において、ベルト３０を締め付けたときの圧力Ｐは、１０７［ｈＰａ］であった。このように、本実施形態によれば、通常の紐靴と比べて、足の土踏まずにかかる圧力Ｐを上昇させることができ、土踏まずのアーチを保ちやすくなる。
【符号の説明】
【００４４】
１：靴、１０：アウトソール、２０：アッパー、２１：羽根、２２：タン、
２３：外側側面、２４：ボックストゥ、２５：保持部材、３０：ベルト、３１：基端部、
３２：先端部、３３：後側縁、３４：前側縁、４１ａ〜４１ｃ：ガイド部材、
４２ａ，４２ｂ：ガイド部材、５０：ワイヤ、６０：ダイヤルユニット、
６１，６２：開口部、６３：ダイヤル、Ｒ：ボールジョイント部
【図１】
2019000213.tif 000003
【図２】
2019000213.tif 000004
【図３】
2019000213.tif 000005
【図４】
2019000213.tif 000006
【図５】
2019000213.tif 000007
【図６】
2019000213.tif 000008
【図７】
2019000213.tif 000009